(57)【特許請求の範囲】
【請求項１】
一対の内向き突縁により口部を狭窄化して形成した枠体の係止用溝にスクリーンと共に押入することにより該スクリーンを上記枠体に固定するための合成樹脂製の押さえ部材であって、
上記押さえ部材が、装着完了時に上記係止用溝を覆う覆板に、該係止用溝に挿入される脚板を垂設すると共に、該脚板の先端に薄肉化された弾性的可撓部を介して一対の固定部材を連接することにより構成され、
上記一対の固定部材が、枠体に対するスクリーンの固定に際して、その係止用溝に先導的に挿入可能に形成された先端部材と、係止用溝への該先端部材の挿入後に該溝の口縁に係止することにより押圧されて上記弾性的可撓部のまわりで姿勢を変える方向に押圧される上記先端部材と一体の基部材とを有し、上記固定部材が、係止用溝への押さえ部材の装着完了時に、枠体との間でスクリーンを挟持固定する部分を有する、
ことを特徴とするスクリーンの押さえ部材。
【請求項２】
上記一対の固定部材が、それぞれ基部材と先端部材とを連接部においてＬ型をなすように連接され、上記連接部の外側または上記基部材が上記弾性的可撓部を介して脚板に連結されており、
枠体に対するスクリーンの固定に際して、上記一対の固定部材における先端部材が係止用溝に先導的に挿入されると、上記連接部の内側が上記係止用溝の各内向き突縁の先端に対向する位置まで達するような形態に形成され、且つ、スクリーンの固定状態においては上記先端部材が係止用溝の内向き突縁の内側面に対面して、固定部材がそれと係止用溝の内向き突縁との間にスクリーンを挟持固定する位置に変位するように形成され、基部材が脚板の側面に対面して固定部材の姿勢を安定化するものとして構成されている、
ことを特徴とする請求項１に記載のスクリーンの押さえ部材。
【請求項３】
上記弾性的可撓部が、脚部との連結部分に最も薄肉化した部分を有し、該部分と固定部材との間に、強弾性部分を有する、
ことを特徴とする請求項２に記載のスクリーンの押さえ部材。
【請求項４】
上記覆板における脚板の外側に、上記係止用溝における内向き突縁の外側面との間に挟持したスクリーンに圧接する軟質の圧接部を一体に形成し、
該圧接部を、上記係止用溝における内向き突縁の外側面との間に挟持するスクリーンに弾性的に圧接する尖頭状の突条を有するものとした、
ことを特徴とする請求項１〜３のいずれかに記載のスクリーンの押さえ部材。
【発明の詳細な説明】
【技術分野】
【０００１】
本発明は、網戸用枠体の係止用溝にスクリーンと共に押入することにより、該スクリーンを枠体に対して固定するためのスクリーンの押さえ部材に関するものである。
【背景技術】
【０００２】
従来、スクリーンを建物開口部に設置される既知の防虫網戸の網戸用枠体に張設する場合には、該枠体の係止用溝に対して、スクリーンを固定するための既知のゴム紐状の押さえ部材を押入することにより上記スクリーンを張設するのが一般的である。
しかしながら、上記既知の押さえ部材を枠体の係止用溝に押入する場合、専用の押入用の工具を必要とするため、その施工が非常に煩雑であり、延いては上記スクリーンの張設作業を複雑化する一因となっていた。
【０００３】
一方、特許文献１等において、枠体の係止用溝に対してその内向き突縁に圧接する状態で嵌る弾性変形可能な脚部を備えることにより構成したスクリーンの押さえ部材について提案されているが、この種の弾性変形する脚を備えた押さえ部材は、該押さえ部材の係止用溝に対する挿入開始位置を片手で安定させたうえで該押さえ部材を係止用溝に対して押入または打込む必要があり、片手で押さえ部材の押入操作をするなどの簡易な作業でスクリーンの張設を行うことには困難性があった。
【特許文献１】実開昭５１−１５５５３８号公報
【発明の開示】
【発明が解決しようとする課題】
【０００４】
本発明の技術的課題は、スクリーンを網戸用枠体に対して張設するに際し、上記押さえ部材の枠体の係止用溝に対する挿入開始位置を安定化させ、該押さえ部材の係止用溝に対する押入をより容易化すると共に、スクリーンの押さえ部材を各別の工具等を使用することなく、上記枠体の係止用溝内に手で押入することも可能に構成することにある。
【課題を解決するための手段】
【０００５】
上記課題を解決するための本発明は、一対の内向き突縁により口部を狭窄化して形成した枠体の係止用溝にスクリーンと共に押入することにより該スクリーンを上記枠体に固定するための合成樹脂製の押さえ部材であって、上記押さえ部材が、装着完了時に上記係止用溝を覆う覆板に、該係止用溝に挿入される脚板を垂設すると共に、該脚板の先端に薄肉化された弾性的可撓部を介して一対の固定部材を連接することにより構成され、上記一対の固定部材が、枠体に対するスクリーンの固定に際して、その係止用溝に先導的に挿入可能に形成された先端部材と、係止用溝への該先端部材の挿入後に該溝の口縁に係止することにより押圧されて上記弾性的可撓部のまわりで姿勢を変える方向に押圧される上記先端部材と一体の基部材とを有し、上記固定部材が、係止用溝への押さえ部材の装着完了時に、枠体との間でスクリーンを挟持固定する部分を有することを特徴とするものである。
【０００６】
本発明に係るスクリーンの押さえ部材の好ましい実施形態においては、上記一対の固定部材が、それぞれ基部材と先端部材とを連接部においてＬ型をなすように連接され、上記連接部の外側または上記基部材が上記弾性的可撓部を介して脚板に連結されており、枠体に対するスクリーンの固定に際して、上記一対の固定部材における先端部材が係止用溝に先導的に挿入されると、上記連接部の内側が上記係止用溝の各内向き突縁の先端に対向する位置まで達するような形態に形成され、且つ、スクリーンの固定状態においては上記先端部材が係止用溝の内向き突縁の内側面に対面して、固定部材がそれと係止用溝の内向き突縁との間にスクリーンを挟持固定する位置に変位するように形成され、基部材が脚板の側面に対面して固定部材の姿勢を安定化するものとして構成されている。
この場合、上記弾性的可撓部が、脚部との連結部分に最も薄肉化した部分を有し、該部分と固定部材との間に、強弾性部分を有するものとして構成される。
【０００７】
本発明に係るスクリーンの押さえ部材の他の好ましい実施形態においては、上記覆板における脚板の外側に、上記係止用溝における内向き突縁の外側面との間に挟持したスクリーンに圧接する軟質の圧接部を一体に形成し、該圧接部が、上記係止用溝における内向き突縁の外側面との間に挟持するスクリーンに弾性的に圧接する尖頭状の突条を有するものとして構成される。
【発明の効果】
【０００８】
以上に詳述した本発明に係るスクリーンの押さえ部材によれば、その覆板に垂設した脚板と固定部材とを弾性的可撓部を介して連接し、それらによってスクリーンを網戸用枠体に対して張設するに際し、上記枠体の係止用溝内にトグル機構的に容易に押入固定することができるので、上記スクリーンを枠体に対して容易に且つ確実に固定することができ、しかも上記押さえ部材の係止用溝に対する押入開始位置が安定化するため、該押さえ部材を係止用溝に対してより安定的に押入することができる。
【発明を実施するための最良の形態】
【０００９】
図１乃至図３は、本発明に係るスクリーンの押さえ部材を防虫網戸におけるネットを構成するスクリーンの固定に適用した場合の第１実施例を示している。この防虫網戸は、窓枠などの建物開口部に固定的に、あるいは摺動自在に配設されるものである。
上記網戸は、四辺を構成するアルミニウム製の枠部材１１ａにより方形に形成された網戸用枠体１１と、該枠体１１に張設された防虫用ネットを構成するスクリーン１２と、該スクリーン１２を枠体１１に固定するための押さえ部材１４とを備えている。
【００１０】
上記枠体１１を構成する枠部材１１ａには、そのスクリーン張設面に沿う一面の内周側に形成した凹段部に係止用溝２０が形成されている。この係止用溝２０は、その口部が左右一対の内向き突縁２２により狭窄化されたものである。そして、上記スクリーン１２は、該枠体１１の係止用溝２０を設けたネット張設面に沿う一面上に載置した状態で、上記押さえ部材１４と共に係止用溝２０内に押入され、枠体１１にスクリーン１２が張設されるものである。
【００１１】
上記押さえ部材１４は、合成樹脂の押出し成形により形成され、図２及び図３に明確に示すように、装着完了時（図３）に上記係止用溝２０を覆う覆板１５に、該係止用溝２０に挿入される脚板１６を垂設すると共に、該脚板１６の先端に薄肉化された弾性的可撓部１７を介して一対の固定部材１８を連接することにより構成されている。
また、上記一対の固定部材１８は、上記枠体１１に対するスクリーン１２の固定に際して、その係止用溝２０に先導的に挿入可能に形成された先端部材１８ａと、係止用溝２０への該先端部材１８ａの挿入後に該溝の口縁に係止することにより上記弾性的可撓部１７のまわりで姿勢を変える方向に押圧される上記先端部材１８ａと一体の基部材１８ｂとを有し、該固定部材１８が、係止用溝２０への押さえ部材１４の装着完了時に、枠体１１との間でスクリーン１２を挟持固定する部分を有するものとして構成されている。
【００１２】
より具体的には、上記一対の固定部材１８は、それぞれ先端部材１８ａと基部材１８ｂとを連接部１８ｃにおいて略Ｌ型をなすように連接され、上記基部材１８ｂが上記弾性的可撓部１７を介して脚板１６に連結されている。
また、上記弾性的可撓部１７は、脚部との連結部分に最も薄肉化した部分１７ａを有し、該部分１７ａと固定部材１８との間に、強弾性部分１７ｂを有するものとして構成されている。このように構成すると、上記脚部１６が係止用溝２０から抜脱する方向に作用する外力に対し、該強弾性部分１７ｂの弾性力が抗力として作用することになるので、当該押さえ部材１４によるスクリーン１２の固定をより安定的に行うことができる。
そして、枠体１１に対するスクリーン１２の固定に際しては、上記一対の固定部材１８における先端部材１８ａを係止用溝２０に先導的に挿入できるように形成し、上記連接部１８ｃの内側が上記係止用溝２０の各内向き突縁２２の先端に対向する位置まで達すると（図２参照）、上記強弾性部分１７ｂの弾性力に抗して脚板１６を押入するようになり、最終的なスクリーン１２の固定状態においては、上記先端部材１８ａが係止用溝２０の内向き突縁２２の内側面に対面するように反転して、固定部材１８がそれと係止用溝２０の内向き突縁２２との間にスクリーン１２を挟持固定する位置にトグル機構的に変位するように形成され、また、固定部材１８の基部材１８ｂが脚板１６の側面に対面して固定部材１８の姿勢を安定化するものとして構成されている（図３参照）。
【００１３】
上述したスクリーン１２の押さえ部材１４を用いて、上記網戸用枠体１１に対してスクリーン１２を張設するに際しては、先ず、枠体１１上にスクリーン１２を載置し、次いで、押さえ部材１４を一つの係止用溝２０上においてスクリーン１２上に置き、上記連接部１８ｃの内側が上記係止用溝２０の各内向き突縁２２の先端に対向する位置まで達するように、上記一対の固定部材１８における先端部材１８ａを係止用溝２０に先導的に挿入し、該押さえ部材１４の係止用溝２０に対する挿入開始位置を安定化させる。そして、その状態で上記押さえ部材１４の覆板１５を押圧すると、上記先端部材１８ａが係止用溝２０の内向き突縁２２の内側面に対面して、固定部材１８がそれと係止用溝２０の内向き突縁２２との間にスクリーン１２を挟持固定する位置にトグル機構的に変位し、上記固定部材１８の基部材１８ｂが脚板１６の側面に対面して姿勢が安定化される。
上述のような張設作業により、上記スクリーン１２を網戸用枠体１１に対してより容易に且つ確実に、しかも安定的に緊張状態に張設することができる。
【００１４】
上記構成を有するスクリーン１２の押さえ部材１４によれば、その覆板１５に垂設した脚板１６と固定部材１８とを弾性的可撓部１７を介して連接し、それらによってスクリーン１２を網戸用枠体１１に対して張設するに際し、上記枠体１１の係止用溝２０内にトグル機構的に容易に押入固定することができるので、上記スクリーン１２を枠体１１に対して容易に且つ確実に固定することができ、しかも上記押さえ部材１４の係止用溝２０に対する押入開始位置が安定化するため、該押さえ部材１４を係止用溝２０に対してより安定的に押入することができる。
【００１５】
図４は、本発明に係るスクリーンの押さえ部材の第２実施例を示している。
このスクリーン１２の押さえ部材１４は、主たる構成は前記第１実施例の押さえ部材１４と同様としているが、上記固定部材１８と脚部１６とを連結する弾性的可撓部１７が、固定部材１８側がテーパー状に厚肉化された強弾性部分１７ｂを有するものとして構成されている。このように構成すると、該強弾性部分１７ｂの弾性力がより強化されるので、当該押さえ部材１４によるスクリーン１２の固定をより安定的に行うことができる。
【００１６】
また、この押さえ部材１４は、上記覆板１５における脚板１６の外側に、上記係止用溝２０における内向き突縁２２の外側面との間に挟持したスクリーン１２に圧接する軟質の圧接部を一体に形成し、該圧接部を、上記係止用溝２０における内向き突縁２２の外側面との間に挟持するスクリーン１２に弾性的に圧接する尖頭状の突条１５ａを有するものとしている。
このように構成すると、上記押さえ部材１４の最終的な固定がほぼ完了する段階で、該押さえ部材１４における覆板１５の圧接部に突設した軟質の突条１５ａが、上記スクリーン１２に対して弾性的に圧接され、それによって該スクリーン１２の覆板１５の圧接部と内向き突縁２２の外側面との間に挟持するようにしているので、該突条１５ａとスクリーン１２との間の摩擦力によって該スクリーン１２がずれ動くのが抑制され、該スクリーンを安定的に固定することができる。
【００１７】
なお、この第２実施例のスクリーンの押さえ部材のその他の構成及び作用は、前記第１実施例と実質的に同様であるから、同一部分または相当部分に同一符号を付して、それらの説明を省略する。
【図面の簡単な説明】
【００１８】
【図１】本発明の第１実施例に係るスクリーンの押さえ部材を係止用溝に挿着した状態を示す断面図である。
【図２】同実施例において、スクリーンの押さえ部材が係止用溝に対する挿入開始位置にある状態を示す拡大断面図である。
【図３】図１の要部拡大断面図である。
【図４】本発明の第２実施例に係るスクリーンの押さえ部材を係止用溝に挿着した状態を示す拡大断面図である。
【符号の説明】
【００１９】
１１    枠体
１２    スクリーン
１４    押さえ部材
１５    覆板
１５ａ  突条
１６    脚板
１７    弾性的可撓部
１７ａ  部分
１７ｂ  強弾性部分
１８    固定部材
１８ａ  先端部材
１８ｂ  基部材
１８ｃ  連接部
２０    係止用溝
２２    内向き突縁
【図１】
0004856614.tif 000002
【図２】
0004856614.tif 000003
【図３】
0004856614.tif 000004
【図４】
0004856614.tif 000005